(57)【要約】【課題】  安価に製造することができ、布団等の寝具が支持される位置も上下に調節することができ、さらには不使用時おいてはコンパクト化でき小さなスペースで保存することができる新規な室内用寝具干し具を提供する。【解決手段】  室内に設置され窓ガラスＷに持たせかけて使用される室内用寝具干し具であって、一方の棒状体３と他方の棒状体４と、これら一方の棒状体３と他方の棒状体４とを中途部において互いに連結するとともに、該一方の棒状体３と他方の棒状体４とが同じ方向を向いた状態からＸ字状となるように交差した状態に回動自在とする連結部材５，６と、棒状に成形された干し棹２と、を備え、上記干し棹２の両端側から中央側には、一方の係合部２ａ・・・２ｆが複数個並んで形成されてなるとともに、上記一方及び他方の棒状体３，４の一端側にはそれぞれ上記一方の係合部２ａ・・・２ｆに係合される他方の係合部３ａ，４ａが形成されてなる。【選択図】  図１
2011103996.tif 000002
【特許請求の範囲】
【請求項１】
室内に設置され窓ガラスに持たせかけて使用される室内用寝具干し具であって、
一方の棒状体と他方の棒状体と、これら一方の棒状体と他方の棒状体とを中途部において互いに連結するとともに、該一方の棒状体と他方の棒状体とが同じ方向を向いた状態からＸ字状となるように交差した状態に回動自在とする連結部材と、棒状に成形された干し棹と、を備え、
上記干し棹の両端側から中央側には、一方の係合部が複数個並んで形成されてなるとともに、上記一方及び他方の棒状体の一端側にはそれぞれ上記一方の係合部に係合される他方の係合部が形成されてなることを特徴とする室内用寝具干し具。
【請求項２】
前記干し棹の両端側から中央側に複数形成された一方の係合部は、穴であり、前記一方及び他方の棒状体の一端側に形成された他方の係合部は、上記穴に挿入される凸部であることを特徴とする請求項１記載の室内用寝具干し具。
【請求項３】
前記一方及び他方の棒状体は何れも同じ長さに成形されてなるとともに、これら一方及び他方の棒状体と前記干し棹との長さは同じ長さであることを特徴とする請求項１又は２記載の何れかの室内用寝具干し具。
【発明の詳細な説明】
【技術分野】
【０００１】
本発明は、布団や毛布、或いはタオルケット等（以下、布団等と言う。）の寝具を室内で干す際に使用される室内用寝具干し具に関し、特に、室内とベランダとの間に配置された窓ガラスに持たせかけて使用される室内用寝具干し具に関するものである。
【背景技術】
【０００２】
従来、布団等の寝具を天日にさらして干す（乾燥させる）場合には、天日が直接当たる庭等の屋外に設置した物干し棹や、ベランダの壁の上面を利用したりして行われている。しかし、こうした方法は、例えば雨が降った場合には、布団等が濡れてしまうことを避けるために、室内に取り込まなければならず、また、安心して外出することもできない。
【０００３】
そこで、こうした事態を避けるために、室内用布団等干し具が提案されている（特許文献１参照）。この室内用布団等干し具は、布団等掛け棹と、この布団等掛け棹を略水平の状態で支持する左右一対の縦支柱と、これら縦支柱間に架設した連結補強材とから概略構成された干し具を２つ用意し、各縦支柱には上下に連結体を遊嵌して連結させ、上記一方の干し具と他方の干し具とを折り畳んだ状態から平面略Ｌ字状或はへの字状の拡開した状態に選択することができるようにしたものである。
【先行技術文献】
【特許文献】
【０００４】
【特許文献１】実用新案登録第３０６８６６３号公報
【発明の概要】
【発明が解決しようとする課題】
【０００５】
しかしながら、上述した従来の室内用布団等干し具では、構成する部材が多く安価に製造することができないばかりか、布団等の寝具が支持される位置を上下方向に調節することができない。また、不使用時においては、嵩張るために小さなスペースに収納することもできない。
【０００６】
そこで、本発明は、上述した従来の室内用布団等干し具が有する課題を解決するために、安価に製造することができ、布団等の寝具が支持される位置も上下に調節することができ、さらには不使用時おいてコンパクト化することができ小さなスペースに保存できる新規な室内用寝具干し具を提供することを目的とするものである。
【課題を解決するための手段】
【０００７】
本発明は、上記目的を達成するために提案されたものであって、第１の発明（請求項１記載の発明）は、室内に設置され窓ガラスに持たせかけて使用される室内用寝具干し具であって、一方の棒状体と他方の棒状体と、これら一方の棒状体と他方の棒状体とを中途部において互いに連結するとともに、該一方の棒状体と他方の棒状体とが同じ方向を向いた状態からＸ字状となるように交差した状態に回動自在とする連結部材と、棒状に成形された干し棹と、を備え、上記干し棹の両端側から中央側には、一方の係合部が複数個並んで形成されてなるとともに、上記一方及び他方の棒状体の一端側にはそれぞれ上記一方の係合部に係合される他方の係合部が形成されてなることを特徴とするものである。
【０００８】
この第１の発明に係る室内用寝具干し具では、上記一方の棒状体と他方の棒状体とが上記連結部材を中心にＸ字状に交差した状態となるように調整し、次いで、上記干し棹に形成された一方の係合部と、一方及び他方の棒状体の一端側に形成された他方の係合部とをそれぞれ係合させて組み立て、上記干し棹に布団等の寝具を支持させた状態で窓ガラスに持たせかける。また、上記干し棹の高さを調節する場合、例えば、低い高さとなるように変更する場合には、干し棹の一端側に形成された一方の係合部の中で、それまで一方の棒状体に形成された他方の係合部が係合していた部位よりも干し棹の一端に近い位置に形成された一方の係合部に他方の係合部を係合させ、同様に、他方の棒状体に形成された他方の係合部も、押し棹の他端に近い位置に形成された一方の係合部に係合させる。なお、上記室内用寝具干し具を使用しない場合には、上記一方の棒状体と他方の棒状体とが同じ方向を向くように揃えるとともに、これら一方及び他方の棒状体に上記干し棹を添えることにより、一方及び他方の棒状体と干し棹とが全体として略直線状となる。
【０００９】
なお、上記一方及び他方の棒状体は、少なくとも外形形状が棒状に成形されていれば良く、内部が空洞であるか否かは問われるものではない。また、同じように、干し棹に関しても、内部が空洞であるかが問われるものではない。但し、このように、内部が空洞である場合には、軽量化されることとなり、持ち運びも簡便なものとなる。さらに、上記一方及び他方の棒状体や干し棹の素材は、木、樹脂、金属等を用いることができる。また、上記干し棹に形成された一方の係合部と、一方及び他方の棒状体の一端側に形成された他方の係合部とは、それぞれ互いに係合できる形状・構造であれば良く、例えば、干し棹には、フックが一方の係合部として形成され又は固定され、一方及び他方の棒状体には、上記フックに係合するリングが形成され又は固定されていたり、さらには、上記フックが一方及び他方の棒状体に、上記リングが干し棹にそれぞれ形成され又は固定されていたりするものであっても良い。
【００１０】
また、第２の発明（請求項２記載の発明）は、上記第１の発明において、前記干し棹の両端側から中央側に複数形成された一方の係合部は、穴であり、前記一方及び他方の棒状体の一端側に形成された他方の係合部は、上記穴に挿入される凸部であることを特徴とするものである。
【００１１】
この第２の発明に係る室内用寝具干し具では、上記一方及び他方の棒状体の一端側に形成された各凸部を、上記干し棹に形成された複数の穴の何れかに選択的に挿入することにより、上記一方及び他方の棒状体に干し棹が容易に組みつけられる。
【００１２】
また、第３の発明（請求項３記載の発明）は、上記第１又は第２の発明の何れかにおいて、前記一方及び他方の棒状体は何れも同じ長さに成形されてなるとともに、これら一方及び他方の棒状体と前記干し棹との長さは同じ長さであることを特徴とするものである。
【００１３】
この第３の発明では、前記一方及び他方の棒状体と前記干し棹とはそれぞれ同じ長さであることから、同一物を量産し、その後に前記一方の係合部ないしは穴を形成して干し棹とし、或いは、他方の係合部ないしは凸部を固定する等することによって上記一方及び他方の棒状体として完成させることができるので、より一層安価に製造することが可能となるばかりか、一方及び他方の棒状体と前記干し棹とが同じ方向を向くように揃えた場合には、何れかが他の部材よりも突出することがないので、よりコンパクト化することができ不使用時における収納も容易なものとなる。
【発明の効果】
【００１４】
第１の発明（請求項１記載の発明）では、基本的な構成要素は、一方の棒状体と他方の棒状体と、干し棹とからなることから、製造コストが大幅に安価なものとなり、また、布団等の寝具が支持される干し棹の位置も、複数個形成された一方の係合部の中から、干し棹の中央側に形成された一方の係合部を選択し、一方及び他方の棒状体に形成された他方の係合部を上記選択した一方の係合部に係合させることにより、干し棹を高い位置とすることができ、逆に、複数個形成された一方の係合部の中から、干し棹の両端側に形成された一方の係合部を選択し、一方及び他方の棒状体に形成された他方の係合部を上記選択した一方の係合部に係合させることにより、干し棹を低い位置とすることができる。また、上記一方の棒状体と他方の棒状体とが同じ方向を向くように連結部材を介して回動させ、これら一方及び他方の棒状体に上記干し棹を添わせることにより、不使用時おいてはコンパクト化することができ、小さなスペースに保存することができる。
【００１５】
また、第２の発明（請求項２記載の発明）では、前記干し棹の両端側から中央側に複数形成された一方の係合部は、穴であり、前記一方及び他方の棒状体の一端側に形成された他方の係合部は、上記穴に挿入される凸部であることから、一層安価に製造することが可能となり、また操作性も良好なものとなる。
【００１６】
また、第３の発明（請求項３記載の発明）発明では、前記一方及び他方の棒状体と前記干し棹とはそれぞれ同じ長さであることから、同一物を量産し、その後に前記一方の係合部ないしは穴を形成して干し棹とし、或いは、他方の係合部ないしは凸部を固定する等することによって上記一方及び他方の棒状体として完成させることができるので、より一層安価に製造することが可能となるばかりか、一方及び他方の棒状体と前記干し棹とが同じ方向を向くように揃えた場合には、何れかが他の部材よりも突出することがないので、よりコンパクト化することができ不使用時における収納も容易なものとなる。
【図面の簡単な説明】
【００１７】
【図１】室内用寝具干し具の使用状態を示す斜視図である。
【図２】図１に示す室内用寝具干し具の分解斜視図である。
【図３】一方の棒状体と干し棹との係合状態を示す断面図である。
【図４】一方の棒状体と他方の棒状体との連結状態を示す断面図である。
【図５】室内用寝具干し具がコンパクト化された状態を示す斜視図である。
【発明を実施するための形態】
【００１８】
以下、本発明を実施するための実施の形態に係る室内用寝具干し具について、図面を参照しながら詳細に説明する。
【００１９】
この実施の形態に係る室内用寝具干し具１は、図１に示すように、干し棹２と、一方の棒状体３と、他方の棒状体４とを備えている。なお、これら干し棹２、一方の棒状体３及び他方の棒状体４は、それぞれ同じ樹脂により中空状に一体成形されてなるとともに、それぞれ同じ長さに成形されたものである。そして、上記干し棹２は、図２に示すように、一端側から中央側に亘って第１ないし第３の穴２ａ・・・２ｃが形成され、他端側から中央側に亘って第４ないし第６の穴２ｄ・・・２ｆが形成されている。これら第１ないし第６の穴２ａ・・・２ｆは、それぞれ本発明を構成する一方の係合部である。また、上記一方の棒状体３の一端側（上端側）には、一方の凸部３ａが立設・固定され、また、上記他方の棒状体４の一端側（上端側）には、他方の凸部４ａが立設・固定されている。上記一方及び他方の凸部３ａ，４ａは、何れも上記第１ないし第３の穴２ａ・・・２ｃの何れかに挿入され該第１ないし第３の穴２ａ・・・２ｃの何れかに係合する他方の係合部である。なお、上記一方及び他方の凸部３ａ，４ａは、図３に示すように、上記中空状に一体成形された棒状体３（４）に図示しないドリルで穴３ｄ（４ｄ）を開け、その穴内に棒状体（符号は省略する。）を嵌合させたものである。
【００２０】
そして、上述のように構成された一方の棒状体３と他方の棒状体４とは、図２及び図４に示すように、これらの中央部位において、ボルト５及びナット６により回動自在に連結されている。これらボルト５及びナット６は、本発明を構成する連結部材である。すなわち、上記一方の棒状体３と他方の棒状体４との中央（中心）位置には、それぞれ貫通穴３ｂ，３ｃ，４ｂ，４ｃが形成され、これらの貫通穴３ｂ，３ｃ，４ｂ，４ｃには、上記ボルト５の軸部５ａが挿通されてなるとともに、この挿通されたボルト５の軸部５ａには上記ナット６が螺着されている。したがって、上記一方の棒状体３と他方の棒状体４とは、上記ボルト５の軸部５ａを中心に回動自在とされており、図１に示すように、Ｘ字状に交差した状態から、後述するように同じ方向に向いた状態にすることができる。
【００２１】
以下、上述した実施の形態に係る室内用寝具干し具１の使用方法について説明する。先ず、この室内用寝具干し具１を使用して布団等の寝具を干し天日で乾燥させる場合には、上記ボルト５の軸部５ａを中心に上記一方の棒状体３と他方の棒状体４とがＸ字状に交差するよう回動させ、次いで、上記一方の棒状体３の一端側に形成された上記一方の凸部３ａを、上記干し棹２の一端側に形成された第１ないし第３の穴２ａ・・・２ｃの何れか（例えば、第１の穴２ａ）に挿入するとともに、上記他方の棒状体４の一端側に形成された上記他方の凸部４ａを、上記干し棹２の他端側に形成された第４ないし第６の穴２ｄ・・・２ｆの何れか（例えば、第６の穴２ｆ）に挿入する（図３参照）。すなわち、一方の凸部３ａを第１の穴２ａに挿入した場合には、他方の凸部４ａを第６の穴２ｄに、一方の凸部３ａを第２の穴２ｂに挿入した場合には、他方の凸部４ａを第５の穴２ｅに、一方の凸部３ａを第３の穴２ｃに挿入した場合には、他方の凸部４ａを第４の穴２ｆにそれぞれ挿入する。こうした方法で一方の棒状体３と他方の棒状体４とを干し棹２に係合させることにより、左右のバランスが均衡し安定した状態となる。但し、この実施の形態に係る室内用寝具干し具１では、上記第１ないし第６の穴２ａ・・・２ｆは、何れも同じ形状（同じ内径）であることから、室内環境によっては、上記一方の棒状体３の一端側に形成された上記一方の凸部３ａを、上記干し棹２の一端側に形成された第１の穴２ａに挿入するとともに、上記他方の棒状体４の一端側に形成された上記他方の凸部４ａを、上記干し棹２の他端側に形成された第４の穴２ｄに挿入しても良い。
【００２２】
そして、上述した手順で干し棹２と一方及び他方の棒状体３，４との組み付け作業が終了すると、次いで、上記干し棹２に（例えば）布団Ｆを支持させ、図１に示すように、窓ガラスＷに持たせかける。なお、布団Ｆ等の長さ等により、干し棹２の位置を高くしたい場合には、上記一方の棒状体３に形成された一方の凸部３ａを、上記干し棹２に形成された第３の穴２ｃに挿入するとともに、上記他方の棒状体４に形成された上記他方の凸部４ａを、上記干し棹２の他端側に形成された第４の穴２ｆに挿入すれば良い。
【００２３】
また、上記室内用寝具干し具１を使用しない場合には、図５に示すように、上記一方の棒状体３と他方の棒状体４とが同じ方向に向くように、上記連結部材としてのボルト５の軸部５ａを中心に回動させるとともに、上記干し棹２を該一方及び他方の棒状体３，４に添わせる。こうした状態とすることにより、この室内用寝具干し具１は極めてコンパクトな状態となり、嵩張ることがないので、例えば押入れや倉庫においても場所を取ることなく保管することが可能となる。特に、この実施の形態に係る室内用寝具干し具１では、一方及び他方の棒状体３，４と干し棹２との長さが同じであることから、持ち運びの際や収納時においても使い勝手が良い。
【００２４】
なお、上記実施の形態に係る室内用寝具干し具１では、干し棹２や一方及び他方の棒状体３，４をそれぞれ中空状のものとしたが、木製の棒状体をそれぞれ干し棹２や一方及び他方の棒状体３，４としても良い。また、上述したように、干し棹２や一方及び他方の棒状体３，４をそれぞれ中空状のものとした場合、それぞれの端部に、ゴム製又は樹脂製の図示しないキャップを固定しても良い。特に、一方及び他方の棒状体３，４の下端にこうしたキャップを固定した場合には、布団Ｆ等を支持させた状態で窓ガラスＷに持たせかけた際、床板上を滑ってしまうことを防止することができる。またさらには、上記干し棹２の中央部には布団Ｆがずり落ちることを防止するために、多数の凸部が形成された図示しない滑り止めシートを貼付したり、或いはこの干し棹２の上面に多数の軸体を固定したりしても良い。また、上述した実施の形態に係る室内用寝具干し具１では、本発明を構成する連結部材として、上記ボルト５及びナット６を用いたが、この連結部材としては必ずしもこうした構成によることなく、少なくとも上記一方の棒状体３と他方の棒状体４とを中途部において互いに連結するとともに、該一方の棒状体３と他方の棒状体４とが同じ方向を向いた状態からＸ字状となるように交差した状態に回動自在とすることができるものであれば、他の構成からなるものであっても良い。
【符号の説明】
【００２５】
１  室内用寝具干し具
２  干し棹
２ａ・・・２ｆ  第１ないし第６の穴
３  一方の棒状体
３ａ  一方の凸部
４  他方の棒状体
４ａ  他方の凸部
５  ボルト
６  ナット
Ｆ  布団
Ｗ  窓ガラス
【図１】
2011103996.tif 000003
【図２】
2011103996.tif 000004
【図３】
2011103996.tif 000005
【図４】
2011103996.tif 000006
【図５】
2011103996.tif 000007